(57)【要約】【課題】ノズル部分を食材の衣に突き刺しやすく、かつ、ノズル部分が衣によって詰まりにくい調味料用容器を提供する。【解決手段】調味料用容器(100)は、閉じた立体形状をなす中空の本体(110)と、本体(110)から延びるノズル部分(120)と、からなり、ノズル部分(120)の先端は当該ノズル部分(120)の軸線(121)に対して鋭角をなす平面状をなしている。【選択図】図１
0003164995.tif 000002
【実用新案登録請求の範囲】
【請求項１】
調味料を収納するための調味料用容器であって、
閉じた立体形状をなす中空の本体と、
前記本体から延びるノズル部分と、
からなり、
前記本体及び前記ノズル部分のうち、少なくとも前記本体は弾性材料からなり、
前記本体は一つの開口部を有し、前記ノズル部分は前記開口部に連通しており、
前記ノズル部分の先端は当該ノズル部分の軸線に対して鋭角をなす平面状である調味料用容器。
【請求項２】
前記ノズル部分は、前記ノズル部分の前記本体から遠い部分と前記ノズル部分の前記本体に近い部分とが長径の両端に位置するような楕円形の断面形状を有していることを特徴とする請求項１に記載の調味料用容器。
【考案の詳細な説明】
【技術分野】
【０００１】
本考案は、ソース、醤油、マヨネーズその他の液状または流動状の調味料を収容する調味料用容器に関する。
【背景技術】
【０００２】
このような調味料用容器の一つとして、特開２００６−２４０６６３号公報に記載されたものがある。
【０００３】
図４は、同公報に記載された調味料用容器１０００の縦断面図である。
【０００４】
調味料用容器１０００は、収納容器１３００と、蓋１４００と、からなる。
【０００５】
収納容器１３００は、閉じた立体形状をなし、一つの開口部１１０１を有する本体１１００と、開口部１１０１に連通し、本体１１００から延びるノズル部分１２００と、から構成されている。
【０００６】
収納容器１３００と蓋１４００とは一体的に形成されており、弾性材料でつくられている。
【０００７】
蓋１４００はノズル部分１２００に挿入可能な形状を有している。
【０００８】
図４に示す調味料用容器１０００は以下のようにして使用される。
【０００９】
先ず、収納容器１３００の本体１１００に調味料を収納する。
【００１０】
次いで、ノズル部分１２００に蓋１４００を挿入し、この状態で、例えば、弁当箱の中に入れられる。
【００１１】
調味料用容器１０００から調味料を出すときには、例えば、二本の指で本体１１００を適度に押圧することによって、内部の調味料が加圧される。調味料の圧力が蓋１４００に作用することによって、蓋１４００がノズル部分１２００から外れ、本体１１００に収納されている調味料を外部に出すことができる（例えば、弁当箱の中のおかずなどの食材にかけることができる）。
【００１２】
調味料用容器１０００を弁当箱の中に入れておくと、蓋１４００が食材の油などで汚れることが多い。このため、蓋１４００を手で取る構造の調味料用容器（例えば、蓋１４００にネジ溝が切られており、本体１１００に対してネジ止めされているような構造）においては、蓋１４００を手で取るときに、手が油で汚れることがある。
【００１３】
これに対して、上記の調味料用容器１０００によれば、手で蓋１４００を取り外す必要がないため、手を汚すことなく、調味料用容器１０００の中の調味料を出すことが可能である。
【００１４】
通常、調味料は上から食材にかけられる。例えば、醤油は上から天ぷらにかけられ、ソースは上からコロッケにかけられ、マヨネーズは上から唐揚げにかけられる。
【００１５】
このような食べ方に対して、調味料を食材の上からかけるのではなく、調味料を衣（例えば、天ぷら、コロッケ、唐揚げなどの衣）の中に直接的に注入してから食べる食べ方がある。
【考案の開示】
【考案が解決しようとする課題】
【００１６】
図４に示すように、従来の調味料用容器１０００においては、ノズル部分１２００の先端は平坦形状をなしている。すなわち、ノズル部分１２００の先端はノズル部分１２００の軸線に対して直角に裁断されている。
【００１７】
このため、従来の調味料用容器１０００を用いて、調味料を衣の中に直接的に注入しようとしても、ノズル部分１２００が衣に突き刺さりにくいという問題点があった。
【００１８】
さらに、ノズル部分１２００が衣に突き刺さりにくいことに伴って、ノズル部分１２００を無理に衣に突き刺すと、衣がノズル部分１２００の内部に入り込み、ノズル部分１２００が詰まってしまうという問題点も発生していた。
【００１９】
本考案はこのような従来の調味料用容器１０００における問題点に鑑みてなされたものであり、ノズル部分を食材の衣に突き刺しやすく、かつ、ノズル部分が衣によって詰まりにくい調味料用容器を提供することを目的とする。
【課題を解決するための手段】
【００２０】
以下に、「考案を実施するための最良の形態」において使用される参照符号を用いて、上述の課題を解決するための手段を説明する。これらの参照符号は、「実用新案登録請求の範囲」の記載と「考案を実施するための最良の形態」の記載との間の対応関係を明らかにするためにのみ付加されたものであり、「実用新案登録請求の範囲」に記載されている考案の技術的範囲の解釈に用いるべきものではない。
【００２１】
上記の目的を達成するため、本考案は、調味料を収納するための調味料用容器（１００）であって、閉じた立体形状をなす中空の本体（１１０）と、前記本体（１１０）から延びるノズル部分（１２０）と、からなり、前記本体（１１０）及び前記ノズル部分（１２０）のうち、少なくとも前記本体（１１０）は弾性材料からなり、前記本体（１１０）は一つの開口部（１１１）を有し、前記ノズル部分（１２０）は前記開口部（１１１）に連通しており、前記ノズル部分（１２０）の先端は当該ノズル部分（１２０）の軸線（１２１）に対して鋭角をなす平面状である調味料用容器（１００）を提供する。
【００２２】
本考案に係る調味料用容器（２００）においては、前記ノズル部分（１２０）の先端において、前記ノズル部分（１２０）の前記本体（１１０）から遠い部分の肉厚（Ｔ１）は前記ノズル部分（１２０）の前記本体（１１０）に近い部分の肉厚（Ｔ２）よりも大きいことが好ましい。
【００２３】
本考案に係る調味料用容器（３００）においては、前記ノズル部分（１２０）の先端において、前記ノズル部分（１２０）の前記本体（１１０）から遠い部分の外面には、前記ノズル部分（１２０）と同方向に延びる少なくとも一つの補強用リブ（３０１）が形成されていることが好ましい。
【００２４】
本考案に係る調味料用容器（１００、２００、３００）においては、前記ノズル部分（１２０）は、前記ノズル部分（１２０）の前記本体（１１０）から遠い部分と前記ノズル部分（１２０）の前記本体（１１０）に近い部分とが長径の両端に位置するような楕円形の断面形状を有していることが好ましい。
【考案の効果】
【００２５】
本考案に係る調味料用容器によれば、ノズル部分の先端が鋭角をなしているため、すなわち、尖っているため、従来の調味料用容器１０００とは異なり、容易に対象物（例えば、唐揚げや天ぷらの衣）に突き刺すことができる。
【００２６】
さらに、対象物に容易に突き刺すことができることに伴い、従来の調味料用容器１０００とは異なり、対象物がノズル部分の中に詰まることを防止することができる。
【図面の簡単な説明】
【００２７】
【図１】図１（Ａ）は本考案の第一の実施形態に係る調味料用容器の斜視図、図１（Ｂ）は図１（Ａ）のＡ−Ａ線における断面図である。
【図２】図２（Ａ）は本考案の第二の実施形態に係る調味料用容器におけるノズル部分のみを示す部分的な斜視図、図２（Ｂ）は図２（Ａ）のＢ−Ｂ線における断面図である。
【図３】図３（Ａ）は本考案の第三の実施形態に係る調味料用容器におけるノズル部分の正面図、図３（Ｂ）はノズル部分１２０の側面図である。
【図４】従来の調味料用容器の縦断面図である。
【考案を実施するための最良の形態】
【００２８】
（第一の実施形態）
図１（Ａ）は本考案の第一の実施形態に係る調味料用容器１００の斜視図、図１（Ｂ）は図１（Ａ）のＡ−Ａ線における断面図である。
【００２９】
図１（Ａ）及び図１（Ｂ）に示すように、本実施形態に係る調味料用容器１００は、閉じた立体形状をなしている中空の本体１１０と、本体１１０から延びる棒状かつ中空のノズル部分１２０と、からなる。
【００３０】
本体１１０は、六角錐形状の第一部分１１１と、六角柱形状の第二部分１１２と、からなる。ノズル部分１２０は第一部分１１１の頂点に接続されている。
【００３１】
本体１１０及びノズル部分１２０は透明の弾性材料（例えば、ポリエチレン）で一体成形によりつくられている。
【００３２】
本体１１０及びノズル部分１２０は一定の肉厚を有している。
【００３３】
ノズル部分１２０は、ノズル部分１２０の本体１１０から近い部分（すなわち、ノズル部分１２０の上端）とノズル部分１２０の本体１１０に遠い部分（すなわち、ノズル部分１２０の下端）とが長径の両端に位置するような楕円形の断面形状を有している。
【００３４】
図１（Ｂ）に示すように、本体１１０の第一部分１１１には単一の開口部１１３が形成されており、ノズル部分１２０は開口部１１３に連通している。すなわち、ノズル部分１２０は本体１１０の内部と調味料用容器１００の外部とを相互に連通させている。
【００３５】
本体１１０の内部には調味料としての、例えば、マヨネーズ（図示せず）が収納されている。
【００３６】
図１（Ａ）及び図１（Ｂ）に示すように、ノズル部分１２０の先端はノズル部分１２０の軸線（中心軸）１２１に対して鋭角をなす平面状に形成されている。すなわち、図１（Ｂ）に示すように、ノズル部分１２０の先端は、その上端が本体１１０により近く、さらに、その下端が本体１１０からより遠くなるような斜面を形成している。
【００３７】
また、図１（Ａ）及び図１（Ｂ）に示すように、必要に応じて、カバー１３０を調味料用容器１００に対して使用することができる。カバー１３０は六角柱形状をなしており、本体１１０の第二部分１１２に外側から嵌合可能な大きさを有している。カバー１３０を第二部分１１２に嵌合させることにより、ノズル部分１２０を下向きにした状態で調味料用容器１００を立てておくことが可能である。
【００３８】
以上のような構造を有する本実施形態に係る調味料用容器１００は以下のようにして使用される。
【００３９】
先ず、本体１１０の内部に調味料（例えば、マヨネーズ）を収納させる。例えば、２本の指で本体１１０を両側から押圧することにより本体１１０の第二部分１１２を凹ませ、その状態のまま、他の容器（例えば、ビン）に入っている調味料の中にノズル部分１２０の先端を浸す。その後、本体１１０に対する押圧を解除する際に発生する吸引力により、調味料は本体１１０の内部に吸引される。
【００４０】
このように調味料が本体１１０の内部に収納された調味料用容器１００は、例えば、他のおかずとともに弁当箱の中に入れられる。
【００４１】
調味料をおかず（例えば、唐揚げ）に付ける際には、ノズル部分１２０の先端を唐揚げの衣に突き刺す。ノズル部分１２０の先端は鋭角をなしているため、ノズル部分１２０の先端を容易に唐揚げの衣に突き刺すことができる。
【００４２】
次いで、本体１１０の第二部分１１２を両側から押圧することにより、本体１１０の内部に収納されている調味料が、押圧力により、開口部１１３とノズル部分１２０を介してノズル部分１２０の先端から注出される。この際、ノズル部分１２０の先端は唐揚げの衣の中に突き刺さっているため、ノズル部分１２０の先端から注出された調味料は唐揚げの衣の中に直接的に注出されることになる。
【００４３】
このように、本実施形態に係る調味料用容器１００によれば、ノズル部分１２０の先端が鋭角をなし尖っているため、従来の調味料用容器１０００とは異なり、容易に対象物（例えば、上記の例では唐揚げの衣）に突き刺すことができる。
【００４４】
さらに、対象物に容易に突き刺すことができることに伴い、従来の調味料用容器１０００とは異なり、対象物がノズル部分１２０の中に詰まることがない。
【００４５】
なお、本実施形態に係る調味料用容器１００は上記の構造に限定されるものではなく、種々の改変が可能である。
【００４６】
例えば、本実施形態に係る調味料用容器１００においては、本体１１０は六角錘形状と六角柱形状との結合形状をなしているが、本体１１０の形状はそれには限定されない。閉じた立体形状をなすものである限りにおいて、本体１１０は任意の形状をとることができる。
【００４７】
また、本実施形態に係る調味料用容器１００においては、本体１１０は透明材料でつくられているが、本体１１０を不透明材料（例えば、本体１１０の中に入れる調味料に応じた色で着色した材料）でつくることも可能である。ただし、本体１１０を透明材料でつくることにより、本体１１０の内部に収納されている調味料の種類及び量を目視で確認することが可能になる。
【００４８】
本実施形態に係る調味料用容器１００においては、本体１１０及びノズル部分１２０は弾性材料（例えば、ポリエチレン）でつくられているが、本体１１０のみを弾性材料でつくることも可能である。ただし、本体１１０及びノズル部分１２０をともに同一弾性材料でつくることにより、調味料用容器１００を一体成形でつくることが可能になる。
【００４９】
ノズル部分１２０の長さは任意である。対象物（例えば、唐揚げや天ぷらの衣など）に突き刺すことができる程度の長さを有している限りにおいて、ノズル部分１２０は任意の長さを有することができる。
【００５０】
また、本実施形態に係る調味料用容器１００においては、ノズル部分１２０は上下方向に長径を有する楕円形状の断面を有しているが、ノズル部分１２０の断面は楕円形には限定されない。例えば、ノズル部分１２０の断面形状としては、円形または矩形を選ぶことができる。
【００５１】
また、ノズル部分１２０の先端の平面がノズル部分１２０の軸線に対してなす角度は、その角度が鋭角である限りにおいて、任意である。ただし、出願人の研究によれば、ノズル部分１２０の先端の平面がノズル部分１２０の軸線に対してなす角度は４０度乃至５０度の範囲が好ましい。
【００５２】
（第二の実施形態）
図２（Ａ）は本考案の第二の実施形態に係る調味料用容器２００におけるノズル部分１２０のみを示す部分的な斜視図、図２（Ｂ）は図２（Ａ）のＢ−Ｂ線における断面図である。
【００５３】
第一の実施形態に係る調味料用容器１００においては、ノズル部分１２０の肉厚は一定であったのに対して、本実施形態に係る調味料用容器２００においては、以下に述べるように、ノズル部分１２０の肉厚は一定ではない。
【００５４】
具体的には、図２（Ｂ）に示すように、ノズル部分１２０の先端において、ノズル部分１２０の本体１１０から遠い部分（すなわち、ノズル部分１２０の下端）の肉厚Ｔ１はノズル部分１２０の本体１１０に近い部分すなわち、ノズル部分１２０の上端）の肉厚Ｔ２よりも大きく設定されている。
【００５５】
Ｔ１＞Ｔ２
このように、ノズル部分１２０の本体１１０から遠い部分（すなわち、ノズル部分１２０の下端）の肉厚Ｔ１を厚くすることにより、この部分の剛性が増すため、ノズル部分１２０の先端を対象物に突き刺すときに、より大きな力でノズル部分１２０の先端を対象物に突き刺しても、ノズル部分１２０の先端が座屈することを防止することができる。このため、より確実に、ノズル部分１２０の先端を対象物に突き刺すことが可能になる。
【００５６】
（第三の実施形態）
図３（Ａ）は本考案の第三の実施形態に係る調味料用容器３００におけるノズル部分１２０の正面図、図３（Ｂ）はノズル部分１２０の側面図である。
【００５７】
本実施形態に係る調味料用容器３００においては、ノズル部分１２０の先端において、ノズル部分１２０の本体１１０から遠い部分（すなわち、ノズル部分１２０の下端）の外面には、ノズル部分１２０と同方向に延びる補強用リブ３０１が形成されている。
【００５８】
すなわち、ノズル部分１２０の下端側には、ライン状の補強用リブ３０１が形成されている
補強用リブ３０１は半円形状の断面を有しており、ノズル部分１２０の全長にわたって形成されている。
【００５９】
このように、ノズル部分１２０の下端側に補強用リブ３０１を形成することにより、ノズル部分１２０、特に、ノズル部分１２０を対象物に突き刺す部分の耐久性を高めることが可能になる。
【００６０】
なお、本実施形態に係る調味料用容器３００においては、１個の補強用リブ３０１が形成されているが、補強用リブ３０１の数は１には限定されない。任意の個数の補強用リブ３０１を形成することが可能である。
【００６１】
また、本実施形態に係る調味料用容器３００においては、補強用リブ３０１はノズル部分１２０の全長にわたって形成されているが、補強用リブ３０１の長さはノズル部分１２０と同一長さであることは必ずしも必要ではない。例えば、ノズル部分１２０の全長の一部にわたってのみ、補強用リブ３０１を形成することも可能である。
【符号の説明】
【００６２】
１００  本考案の第一の実施形態に係る調味料用容器
１１０  本体
１１３  開口部
１２０  ノズル部分
１２１  軸線
２００  本考案の第二の実施形態に係る調味料用容器
３００  本考案の第三の実施形態に係る調味料用容器
３０１  補強用リブ
【図１】
0003164995.tif 000003
【図２】
0003164995.tif 000004
【図３】
0003164995.tif 000005
【図４】
0003164995.tif 000006